(57)【要約】【課題】携帯端末装置において電話帳のグループ情報を選択する際に、装置本体の傾きの方向に応じて、分割した電話帳のグループを表示するようにする。【解決手段】電話帳の分割された情報を、装置本体の傾きの方向を検出することにより、表示部に表示する。そして、装置の傾きの状態を維持しつつ選択キーを押下することにより、分割された情報を選択し、選択キーの押圧を解除することにより、これを確定させる。【選択図】図８
2008193737.tif 000002
【特許請求の範囲】
【請求項１】
分割された情報を表示する表示手段と、
上記分割された情報を選択するための選択キーと、
装置本体の傾きの方向を検出するための傾き検出手段と、
上記選択キーが押圧されたとき、上記検出手段により検出された傾きの方向に応じて、上記分割された情報を上記表示手段に表示させ、上記選択キーの押圧が解除されたとき、表示されている分割された情報の選択が確定されるように制御する制御手段を、
備えたことを特徴とする携帯端末装置。
【請求項２】
上記分割された情報は、電話帳を分割したグループの情報である、請求項１に記載の携帯端末装置。
【請求項３】
上記表示手段には、上記分割された情報の他に、上記装置本体の傾きの方向を表示する表示部を備えている、請求項１または２に記載の携帯端末装置。
【請求項４】
装置本体の傾きの方向を検出するステップと、
上記検出した傾きの方向に応じて、表示する情報を分割して表示するステップと、
上記分割された情報を、選択キーにより選択するステップと、
上記傾き検出手段により検出された上記装置本体の傾きに応じて表示された上記分割された情報の選択を、上記選択キーの押圧を解除することにより確定するステップと、
を含む携帯端末装置を用いた情報の選択方法。
【請求項５】
更に、装置本体の傾きの方向を表示手段に表示するステップを含む、
請求項４に記載の携帯端末装置を用いた情報の選択方法。
【発明の詳細な説明】
【技術分野】
【０００１】
本発明は、電話帳等に含まれる情報を分割して表示し、その表示した情報の選択を容易に行えるようにした携帯端末装置及びこれを利用した情報の選択方法に関する。
【背景技術】
【０００２】
携帯電話やＰＤＡ（Personal Digital Assistant）などの携帯端末装置が普及したことに伴い、電子メールやスケジュール管理のために文字入力を高速に行うための操作が要求されている。
【０００３】
特許文献１には、表示装置、入力装置、ＣＰＵ（Central Processing Unit）、加速度センサ、文字データベースＲＯＭ（Read Only Memory）から構成され、本体の傾きに伴う加速度を検出することにより、文字変換候補の選択、決定、バックスペース、ＥＳＣ等の命令を実行する文字変換装置が開示されている。
【０００４】
特許文献２には、傾き検出手段により検出された傾きに基づいて、表示手段の表示を変化させ、設定手段を押した時に表示手段に表示されていたものを設定手段による設定内容とする入力装置が開示されている。
【０００５】
【特許文献１】特開２０００−１９４６９３号公報
【特許文献２】特開平１０−２００６１８号公報
【発明の開示】
【発明が解決しようとする課題】
【０００６】
上述した従来の携帯端末装置では、入力キーの配置数に厳しい制限があるうえ、日本語の５０音の仮名文字はアルファベットなどに比べて種類が多い。このことから、仮名文字を１文字入力するためには、同一のキーを複数回押下する入力方法が一般的であるが、この入力方法では入力にかかる時間や労力が非常に多くなるという不都合があった。
【０００７】
そこで、母音キーと子音キーの組み合わせを５０音の仮名文字に対応させる入力方法や、特許文献１のように、仮名漢字変換などの操作に加速度センサを用いてキー押下の回数を低減する文字変換装置が提案されていたが、これはＰＤＡの変換時の表示のみに関するものであり、携帯電話の入力時の表示については何ら開示されていないという不都合があった。
【０００８】
また、特許文献２には、携帯電話の傾きに基づいて入力表示を行う入力装置が提案されていたが、数字入力のみに関するものであり、仮名文字については何ら開示されておらず、しかもこれは設定キーが必須でありキーの数が増加すると共にその操作が余計に必要となるという不都合があった。
【０００９】
そこで、本発明は、携帯端末装置において電話帳のグループ情報を選択する際に、装置本体の傾きの方向に応じて文字入力を行う技術を用いて、分割した電話帳のグループ情報を表示装置に表示するようにした携帯端末装置及びこの携帯端末を用いた情報の選択方法を提供することを目的とする。
【課題を解決するための手段】
【００１０】
上記課題を解決し、本発明の目的を達成するため、本発明の通信端末装置は、分割された情報を表示する表示手段と、この分割された情報を選択するための選択キーと、装置本体の傾きの方向を検出するための傾き検出手段と、選択キーが押圧されたとき、検出手段により検出された傾きの方向に応じて、分割された情報を表示手段に表示させる。そして、選択キーの押圧が解除されたとき、表示されている分割された情報の選択が確定されるように制御する制御手段を、備えている。
【００１１】
また、好ましい形態として、制御手段は、傾き検出手段で検出された装置本体の傾きデータを取り込み、装置本体の傾きの方向を表示手段に表示させるようにしている。そして、選択キーの押下を検出したら、装置本体の傾斜状態に応じた分割された情報を表示手段に表示させるようにしている。
【００１２】
また、本発明の携帯端末装置を用いた情報の選択方法は、装置本体の傾きの方向を検出するステップと、この検出した傾きの方向に応じて、分割された情報のうちのいずれかの情報を表示する表示するステップと、この分割され、表示された情報を、選択キーにより選択するステップと、傾き検出手段により検出された装置本体の傾きに応じて表示され、分割された情報の選択を、上記選択キーの押圧を解除することにより確定するステップと、を含んでいる。更に、好ましい形態としては、装置本体の傾きを表示部に表示するステップを含んでいる。
【発明の効果】
【００１３】
本発明の携帯端末装置及びこの装置を用いた情報の選択方法によれば、少ないキーの押下回数で分割された情報の選択を行うことができるので、入力速度の向上を図ることができる。すなわち、押下されたキーの解除（離隔）により、選択した情報を確定することができるので、余計なキー操作が不要となり、そのための処理を削減することができる。
【発明を実施するための最良の形態】
【００１４】
図１は、本発明の実施の形態例に関係する携帯端末装置の概観図である。
図１に示すように、携帯端末装置１は、送信すべき情報を入力するためのキー入力部４と、送信すべき情報を表示する表示部５と、装置本体の傾きを検出する傾き検出センサ３と、傾き検出センサ３により検出された傾きに応じて、キー入力部４に対する入力操作に関連する情報を、表示部５に表示させるＣＰＵ２とを有して構成される。
【００１５】
ＣＰＵ２は、定期的に傾き検出センサ３から検出された装置本体の傾きデータを取り込み、装置本体の傾きをユーザーが視覚により確認できるように表示部５に表示させる。このとき、ＣＰＵ２は、キー入力部４の押下を検出したら、キー入力部４のキーの種類と装置本体の傾斜状態に応じた文字を表示部５に表示させる。
【００１６】
図２は、本発明の実施の形態例に適用される携帯端末装置の構成を示すブロック図である。この携帯端末装置は、例えば、Ｗ−ＣＤＭＡ（Wideband‐Code Division Multiple Access）方式に適用可能な構成を想定している。
【００１７】
送信時には、通信処理部８において、レイヤ１（物理レイヤ）が処理を行うデータの基本単位（ＭＡＣ（Medium Access Control）レイヤからレイヤ１にデータが転送される単位）であるトランスポートブロック（ＴＢ：Transport Block）毎にブロック誤りを検出するためのＣＲＣ（Cyclic Redundancy Check）符号を付加後、チャンネル符号化（誤り訂正符号化）及びインターリーブされる。
【００１８】
インターリーブ後のビット系列は、チャンネル推定のためのパイロットビット等のオーバーヘッドを付加された後、データ変調される。データ変調マッピングされた位相平面上の同相及び直交成分は、それぞれ２階層の拡散符号系列で拡散される。
【００１９】
拡散後のチップデータ系列は、自乗余弦ルートナイキストフィルタで５ＭＨｚ帯域に帯域制限された後、Ｄ／Ａ変換器でアナログ信号に変換後、直交変換される。ＲＦ処理部７において直交変換された中間周波数信号はさらに２ＧＨｚ帯のＲＦ信号に周波数変換後、電力増幅されてアンテナ１０を介して無線通信により送信される。
【００２０】
図２は、携帯端末装置の内部の構成を示すブロック図である。
図２に示すように、受信時には、携帯端末装置のアンテナ１０を介して無線通信により入力した受信信号は、ＲＦ処理部７において低雑音増幅器で増幅され、高周波数から中間周波数に周波数変換された後、自動利得制御増幅器で線形増幅される。
【００２１】
また、通信処理部８において、増幅後の信号は直交検波されて、同相及び直交成分を生じる。この同相及び直交成分のアナログ信号は、Ａ／Ｄ変換器でディジタル信号に変換される。さらにディジタル値変換された同相及び直交成分はルートナイキストフィルタで帯域制限後、拡散された受信信号の拡散符号と同一の拡散符号で、逆拡散することにより、伝搬遅延時間の異なる複数のマルチパス成分に時間分離される。
【００２２】
時間分離されたパスはコヒーレントレイク合成され、レイク合成後のデータ系列は、デインターリーブ及びチャネル復号による誤り訂正復号の後、２値のデータ判定が行われ、送信データ系列が再生される。再生データ系列から各トランスポートチャネルへの分離及びブロック誤りの検出が行われ、再生データが出力される。
【００２３】
出力された再生データは制御部９の上位レイヤのアプリケーションソフトウエア処理部に転送される。ユーザーがキー入力部４にキー入力することにより、制御部９の上位レイヤのアプリケーションソフトウエア処理部は表示部５に再生データ及び再生状態の表示を行う。
【００２４】
上述した携帯端末装置の制御部９、キー入力部４及び表示部５において、本発明の実施の形態の通信装置が適用される。以下、この通信装置について説明する。
【００２５】
図３は、本発明の実施の形態例に適用される携帯端末装置の要部を示すハードウエア構成図である。ここで、制御部９は、ＣＰＵ２及びメモリ６により構成される。メモリ６にはＣＰＵ２の動作プログラム及び処理データが記憶される。
【００２６】
図４は、本発明の実施の形態例と関連する、携帯端末装置を用いた文字入力モードの動作を示すフローチャートである。図４のフローチャートは、ＣＰＵ２内でメモリ６に記憶されている動作プログラムに基づいて文字入力モードの動作が行われる場合の処理を示している。
【００２７】
図４に示すように、まず、文字入力モードに入ると、タイマーをセットする（ステップＳ１）。ここでは、ＣＰＵ２が１００ｍｓｅｃのタイマーをセットするようにしている。
次に、タイマーが切れているか否か、つまり、セットしたタイマーの１００ｍｓｅｃが経過しているか否かを判断する（ステップＳ２）。
【００２８】
ステップＳ２でタイマーが切れていると判断されると、ＣＰＵ２は、傾き検出センサ３から検出された装置本体の傾きデータを取り込み、装置本体の傾斜状態を計算してメモリ６内に保持すると共に、表示部５に傾斜状態の描画を行って、再び１００ｍｓｅｃのタイマーをセットする（ステップＳ３）。
ステップＳ２で、タイマー切れがないと判断された場合は、次のステップＳ４へ移行する。
【００２９】
そして、ＣＰＵ２は、装置本体の傾斜状態に応じた文字種が選択されているか否かを判断する（ステップＳ４）。なお、ステップＳ４で、文字種が選択されていない場合には、ステップＳ７へ移行する。
【００３０】
ステップＳ４で文字種が選択されていると判定された場合には、続いてキーが押下されたか否かを判断する（ステップＳ５）。ここでは、ＣＰＵ２は、装置本体の傾斜状態に応じて文字種が選択されている状態で、キーが押下されたか否かを判断する。そして、装置本体の傾斜状態に応じた文字種のキーが押下されたと判定された場合には、その文字種の選択が行われたことになる。なお、ステップＳ５で、キーが押下されていないと判定された場合は、ステップＳ７へ移行する。
【００３１】
ステップＳ５でキーが押下されたと判定されたときは、センサ情報とキーから文字をセレクトし、文字を描画する（ステップＳ６）。すなわち、ＣＰＵ２は、キー入力部４によりキー入力されたキーデータを表示のために取込みメモリ６内に保持すると共に、メモリ６内に表示のために保持されている装置本体の傾斜状態とから、装置本体の傾きとキーの組み合わせに対応する文字を選択し、表示部５に選択された文字の描画をする。
【００３２】
最後に、文字入力モードの終了要求があるか否かを判断する（ステップＳ７）。このステップＳ７の終了要求は、（ａ）キー入力部４により終了のためのキー入力がされたこと、（ｂ）表示部５に選択された文字をキー入力部４によりメモリ６内に保持するためのキー入力がされたこと、または（ｃ）表示部５に選択された文字をキー入力部４により通信処理部８に対して送信のための処理をするためのキー入力がされたこと、のいずれかである。
【００３３】
なお、ステップＳ７で、文字入力モードの終了要求がないときは、ステップＳ２へ戻って、文字入力モードの終了要求があるまでステップＳ２〜ステップＳ７までの処理及び判断を繰り返す。
【００３４】
図５は、本発明の実施の形態例に関係する、携帯端末装置を用いた文字入力及び確定の動作を示すフローチャートである。
図５は、図４のステップＳ５のキー押下により文字入力するときの確定の動作に対応するものである。まず、ＣＰＵ２によって、キーが押下されたか否かが判断される（ステップＳ１１）。
【００３５】
このステップＳ１１でキーが押下されたと判定された場合は、続いて傾き情報とキーから文字を描画する（ステップＳ１２）。ここでは、ＣＰＵ２が、キー入力部４によりキー入力されたキーデータを表示のために取込みメモリ６内に保持すると共に、メモリ６内に保持されている装置本体の傾斜状態とから装置本体の傾きとキーの組み合わせに対応する文字を選択して、表示部５に描画をする。なお、ステップＳ１１で、キーが押下されないと判定されたときは、キーの押下があるまでステップＳ１１の判断を繰り返す。
【００３６】
ステップＳ１２で、傾き情報とキー入力とから文字が描画された後は、続いて押下されたキーがリリースされたか否かが判断される（ステップＳ１３）。このステップＳ１３において、キーがリリースされたと判定された場合は、入力された文字が確定する（ステップＳ１４）。すなわち、ＣＰＵ２は、キー入力部４によりキー入力されたキーデータを確定のために取込みメモリ６内に保持する。なお、ステップＳ１３で、キーがリリースされない場合には、ステップＳ１２へ戻って、キーのリリースがあるまでステップＳ１２〜ステップＳ１３までの処理及び判断を繰り返す。
【００３７】
次に、文字入力モードの終了要求があるか否かを判断する（ステップＳ１５）。この終了要求も、図４のステップＳ７と同様に、（ａ）キー入力部４により終了のためのキー入力がされたこと、（ｂ）表示部５に選択された文字をキー入力部４によりメモリ６内に保持するためのキー入力がされたこと、または（ｃ）表示部５に選択された文字をキー入力部４により通信処理部８に対して送信のための処理をするためのキー入力がされたこと、のいずれかの場合を意味する。
【００３８】
なお、ステップＳ１４で、文字入力モードの終了要求がないと判定された場合には、ステップＳ１１へ戻って、文字入力モードの終了要求があるまでステップＳ１１〜ステップＳ１５までの処理及び判断を繰り返す。
【００３９】
図６は、本発明の実施の形態例に関係する、傾斜状態による文字種の入力及び電話帳の表示を示す図であり、図６Ａは通常保持状態の平仮名、図６Ｂは左傾斜のカタカナ、図６Ｃは上傾斜の数字、図６Ｄは右傾斜のアルファベット、図６Ｅは下傾斜の電話帳グループ（１〜１０）である。図６は、図４のステップＳ４の文字種の選択の動作に対応するものである。
【００４０】
図６Ａに示す通常保持状態において、携帯端末装置１の表示部５には十字形の中央部が点灯する傾斜のない状態を示す傾斜状態表示部６１−１が表示される。このとき、キー入力部４の平仮名キー６３−１が押下されると、表示部５に平仮名６２−１が表示される。
【００４１】
図６Ｂに示す左傾斜状態において、携帯端末装置１の表示部５には十字形の左端部が点灯する左傾斜状態を示す傾斜状態表示部６１−２が表示される。このとき、キー入力部４のカタカナキー６３−２が押下されると、表示部５にカタカナ６２−２が表示される。
【００４２】
図６Ｃに示す上傾斜状態において、携帯端末装置１の表示部５には十字形の上端部が点灯する上傾斜状態を示す傾斜状態表示部６１−３が表示される。このとき、キー入力部４の数字キー６３−３が押下されると、表示部５に数字６２−３が表示される。
【００４３】
図６Ｄに示す右傾斜状態において、携帯端末装置１の表示部５には十字形の右端部が点灯する右傾斜状態を示す傾斜状態表示部６１−４が表示される。このとき、キー入力部４のアルファベットキー６３−４が押下されると、表示部５にアルファベット６２−４が表示される。
【００４４】
図６Ｅに示す下傾斜状態において、携帯端末装置１の表示部５には十字形の下端部が点灯する下傾斜状態を示す傾斜状態表示部６１−５が表示される。このとき、キー入力部４の電話帳グループ（１〜１０）キー６３−５が押下されると、表示部５に電話帳グループ（１〜１０）６２−５が表示される。
【００４５】
ここで、各キーが押下及びリリースされたとき、その文字種が選択されて確定されたことになる。なお、連続して同じ文字種のキーが押下及びリリースされたとき、その文字種が選択されて確定される。また、同じ文字種のキーが押下及びリリースが中断されたとき、図４に示したフローチャートに従い、ステップＳ７の終了要求がないときは、ステップＳ４の文字種の判断が繰り返される。
【００４６】
上述した図６の文字種の選択表示の後に、以下の各文字の入力が行われる。図７は、傾斜状態による平仮名文字の入力を示す図であり、図７Ａは通常保持状態のあ行、図７Ｂは左傾斜のい行、図７Ｃは上に傾斜のう行、図７Ｄは右に傾斜のえ行、図７Ｅは下に傾斜のお行である。
【００４７】
図７Ａに示す通常保持状態において、携帯端末装置１の表示部５には十字形の中央部が点灯する傾斜のない状態を示す傾斜状態表示部７１−１が表示される。このとき、キー入力部４の平仮名キー「あ」７３−１が押下されると、表示部５に平仮名「あ」７２−１が表示される。ここでは、連続して同じの平仮名キーが押下及びリリースされたとき、その平仮名が選択されて表示されて確定される状態を示す。
【００４８】
図７Ｂに示す左傾斜状態において、携帯端末装置１の表示部５には十字形の左端部が点灯する左傾斜状態を示す傾斜状態表示部７１−２が表示される。このとき、キー入力部４の平仮名キー「い」７３−２が押下されると、表示部５に平仮名「あ」７２−１の次に平仮名「い」７２−２が表示される。
【００４９】
図７Ｃに示す上傾斜状態において、携帯端末装置１の表示部５には十字形の上端部が点灯する上傾斜状態を示す傾斜状態表示部７１−３が表示される。このとき、キー入力部４の平仮名キー「う」７３−３が押下されると、表示部５に平仮名「い」７２−２の次に平仮名「う」７２−３が表示される。
【００５０】
図７Ｄに示す右傾斜状態において、携帯端末装置１の表示部５には十字形の右端部が点灯する右傾斜状態を示す傾斜状態表示部７１−４が表示される。このとき、キー入力部４の平仮名キー「え」７３−４が押下されると、表示部５に平仮名「う」７２−３の次に平仮名「え」７２−４が表示される。
【００５１】
図７Ｅに示す下傾斜状態において、携帯端末装置１の表示部５には十字形の下端部が点灯する下傾斜状態を示す傾斜状態表示部７１−５が表示される。このとき、キー入力部４の平仮名キー「お」７３−５が押下されると、表示部５に平仮名「え」７２−４の次に平仮名「お」７２−５が表示される。
【００５２】
なお、他のカタカナ、数字、アルファベットも同様に選択されて表示されるので、その説明を省略する。以下に、電話帳グループ（１〜１０）の選択表示を説明する。なお、平仮名などの文字種を選択表示した後に、次に直ちに電話番号の数字のみを入力するモードを優先させるようにしてもよい。
【００５３】
図８は、本発明の実施の形態例を示す説明図である。特に、図８は、携帯端末装置本体の傾斜の方向により、電話帳の分割グループの表示を変更するものである。図８Ａは、通常保持状態の１グループ、図８Ｂは左傾斜の１／４分割グループ、図８Ｃは上に傾斜の２／４分割グループ、図８Ｄは右に傾斜の３／４分割グループ、図８Ｅは下に傾斜の４／４分割グループを示している。この図８の動作は、図６Ｅの電話帳グループ（１〜１０）の選択表示の動作に対応するものである。ここでは、電話帳グループ（１〜１０）の１グル−プが装置１の傾きの方向とキーの押下とにより１／４〜４／４まで分割して選択表示される例を示している。なお、ここでも文字の入力の場合と同様に、押下されたキーのリリースにより分割されたグループの選択が確定することになる。
【００５４】
図８Ａに示す通常保持状態において、携帯端末装置１の表示部５には十字形の中央部が点灯する傾斜のない状態を示す傾斜状態表示部８１−１が表示される。このとき、キー入力部４の電話帳グループ（１〜１０）キー「１」８３−１が押下されると、表示部５に電話帳グループ（１〜１０）「１グループ」８２−１が表示される。
【００５５】
また、図８Ｂに示す左傾斜状態において、携帯端末装置１の表示部５には十字形の左端部が点灯する左傾斜状態を示す傾斜状態表示部８１−２が表示される。このとき、キー入力部４の電話帳グループ（１〜１０）キー「１／４」８３−２が押下されると、表示部５に電話帳グループ（１〜１０）「１／４グループ」８２−２が表示される。
【００５６】
図８Ｃに示す上傾斜状態において、携帯端末装置１の表示部５には十字形の上端部が点灯する上傾斜状態を示す傾斜状態表示部８１−３が表示される。このとき、キー入力部４の電話帳グループ（１〜１０）キー「２／４」８３−３が押下されると、表示部５に電話帳グループ（１〜１０）「２／４グループ」８２−３が表示される。
【００５７】
図８Ｄに示す右傾斜状態において、携帯端末装置１の表示部５には十字形の右端部が点灯する右傾斜状態を示す傾斜状態表示部８１−４が表示される。このとき、キー入力部４の電話帳グループ（１〜１０）キー「３／４」８３−４が押下されると、表示部５に電話帳グループ（１〜１０）「３／４グループ」８２−４が表示される。
【００５８】
図８Ｅに示す下傾斜状態において、携帯端末装置１の表示部５には十字形の下端部が点灯する下傾斜状態を示す傾斜状態表示部８１−５が表示される。このとき、キー入力部４の電話帳グループ（１〜１０）キー「４／４」８３−５が押下されると、表示部５に電話帳グループ（１〜１０）「４／４グループ」８２−５が表示される。
【００５９】
図９は、本発明の実施の形態例において、傾斜状態による電話帳の前後の分割グループ及び前後の候補の表示を示す図であり、図９Ａは通常保持状態の分割グループ、図９Ｂは左傾斜の前の候補、図９Ｃは上に傾斜の前のグループ、図９Ｄは右に傾斜の次の候補、図９Ｅは下に傾斜の次のグループである。ここでは装置１の傾きとキーの押下とにより、図８の各１／４〜４／４の分割グループから前後の分割グループの選択表示、及び前後の候補の選択表示例を示す。
【００６０】
上述した図８Ｃに示す上傾斜状態において、表示部５に電話帳グループ（１〜１０）「２／４グループ」８２−３が表示された後に、図９Ａに示す通常保持状態において、携帯端末装置１の表示部５には十字形の中央部が点灯する傾斜のない状態を示す傾斜状態表示部９１−１が表示される。このとき、キー入力部４の電話帳グループ（１〜１０）キー「２／４」９３−１が押下されると、表示部５に電話帳グループ（１〜１０）の「現在の２／４グループの現在の候補（ｎ）」９２−１が表示される。
【００６１】
図９Ｂに示す左傾斜状態において、携帯端末装置１の表示部５には十字形の左端部が点灯する左傾斜状態を示す傾斜状態表示部９１−２が表示される。このとき、キー入力部４の電話帳グループ（１〜１０）キー「２／４」９３−２が押下されると、表示部５に電話帳グループ（１〜１０）「２／４グループの前の候補（ｎ−１）」９２−２が表示される。
【００６２】
図９Ｃに示す上傾斜状態において、携帯端末装置１の表示部５には十字形の上端部が点灯する上傾斜状態を示す傾斜状態表示部９１−３が表示される。このとき、キー入力部４の電話帳グループ（１〜１０）キー「１／４」９３−３が押下されると、表示部５に電話帳グループ（１〜１０）「前の１／４グループの現在の候補（ｎ）」９２−３が表示される。
【００６３】
図９Ｄに示す右傾斜状態において、携帯端末装置１の表示部５には十字形の右端部が点灯する右傾斜状態を示す傾斜状態表示部９１−４が表示される。このとき、キー入力部４の電話帳グループ（１〜１０）キー「２／４」９３−４が押下されると、表示部５に電話帳グループ（１〜１０）の「現在の２／４グループの次の候補（ｎ＋１）」９２−４が表示される。
【００６４】
図９Ｅに示す下傾斜状態において、携帯端末装置１の表示部５には十字形の下端部が点灯する下傾斜状態を示す傾斜状態表示部９１−５が表示される。このとき、キー入力部４の電話帳グループ（１〜１０）キー「３／４」９３−５が押下されると、表示部５に電話帳グループ（１〜１０）の「次の３／４グループの現在の候補（ｎ）」９２−５が表示される。
【図面の簡単な説明】
【００６５】
【図１】本発明の実施の形態例に関係する携帯端末装置の概観図である。
【図２】図１に示す携帯端末装置の構成を示すブロック図である。
【図３】図１に示す携帯端末装置の要部を示すハードウエア構成図である。
【図４】携帯端末装置を用いた文字入力モードの動作を示すフローチャートである。
【図５】携帯端末装置を用いた文字入力及び文字入力の確定の動作を示すフローチャートである。
【図６】携帯端末装置の傾斜状態による文字種の入力及び電話帳の表示を示す図であり、図６Ａは通常保持状態の平仮名、図６Ｂは左傾斜のカタカナ、図６Ｃは上に傾斜の数字、図６Ｄは右に傾斜のアルファベット、図６Ｅは下に傾斜の電話帳グループ（１〜１０）である。
【図７】携帯端末装置の傾斜状態による平仮名文字の入力を示す図であり、図７Ａは通常保持状態のあ行、図７Ｂは左傾斜のイ行、図７Ｃは上に傾斜のう行、図７Ｄは右に傾斜のえ行、図７Ｅは下に傾斜のお行である。
【図８】本発明の実施の形態例としての携帯端末装置の利用状態を示す図であり、携帯端末装置の傾斜状態により、電話帳の分割グループの表示を示している。図８Ａは通常保持状態の１グループ、図８Ｂは左傾斜の１／４分割グループ、図８Ｃは上に傾斜の２／４分割グループ、図８Ｄは右に傾斜の３／４分割グループ、図８Ｅは下に傾斜の４／４分割グループである。
【図９】本発明の実施の形態例としての携帯端末装置の傾斜状態による電話帳の前後の分割グループ及び前後の候補の表示を示す図である。図９Ａは通常保持状態の分割グループ、図９Ｂは左傾斜の前の候補、図９Ｃは上に傾斜の前のグループ、図９Ｄは右に傾斜の次の候補、図９Ｅは下に傾斜の次のグループである。
【符号の説明】
【００６６】
１…携帯端末装置、２…ＣＰＵ、３…傾き検出センサ、４…キー入力部、５…表示部、６…メモリ、７…ＲＦ処理部、８…通信処理部、９…制御部、１０…アンテナ、６１−１…通常保持状態の傾斜状態表示部、６２−１…平仮名、６３−１…平仮名キー、６１−２…左傾斜の傾斜状態表示部、６２−２…カタカナ、６３−２…カタカナキー、６１−３…上に傾斜の傾斜状態表示部、６２−３…数字、６３−３…数字キー、６１−４…右に傾斜の傾斜状態表示部、６２−４…アルファベット、６３−４…アルファベットキー、６１−５…下に傾斜の傾斜状態表示部、６２−５…電話帳グループ（１〜１０）、６３−５…電話帳グループ（１〜１０）キー、７１−１…通常保持状態の傾斜状態表示部、７２−１…平仮名「あ」行、７３−１…平仮名「あ」行キー、７１−２…左傾斜の傾斜状態表示部、７２−２…平仮名「い」行、７３−２…平仮名「い」行キー、７１−３…上に傾斜の傾斜状態表示部、７２−３…平仮名「う」行、７３−３…平仮名「う」行キー、７１−４…右に傾斜の傾斜状態表示部、７２−４…平仮名「え」行、７３−４…平仮名「え」行キー、７１−５…下に傾斜の傾斜状態表示部、７２−５…平仮名「お」行、７３−５…平仮名「お」行キー、８１−１…通常保持状態の傾斜状態表示部、８２−１…グループ（１〜１０）、８３−１…グループ（１〜１０）キー、８１−２…左傾斜の傾斜状態表示部、８２−２…１／４グループ、８３−２…１／４グループキー、８１−３…上に傾斜の傾斜状態表示部、８２−３…２／４グループ、８３−３…２／４グループキー、８１−４…右に傾斜の傾斜状態表示部、８２−４…３／４グループ、８３−４…３／４グループキー、８１−５…下に傾斜の傾斜状態表示部、８２−５…４／４グループ、８３−５…４／４グループキー、９１−１…通常保持状態の傾斜状態表示部、９２−１…現在のグループの現在の候補、９３−１…現在のグループー、９１−２…左傾斜の傾斜状態表示部、９２−２…現在のグループの前の候補、９３−２…現在のグループキー、９１−３…上に傾斜の傾斜状態表示部、９２−３…前のグループの現在の候補、９３−３…前のグループキー、９１−４…右に傾斜の傾斜状態表示部、９２−４…現在のグループの次の候補、９３−４…現在のグループキー、９１−５…下に傾斜の傾斜状態表示部、９２−５…次のグループの現在の候補、９３−５…次のグループキー
【図１】
2008193737.tif 000003
【図２】
2008193737.tif 000004
【図３】
2008193737.tif 000005
【図４】
2008193737.tif 000006
【図５】
2008193737.tif 000007
【図６】
2008193737.tif 000008
【図７】
2008193737.tif 000009
【図８】
2008193737.tif 000010
【図９】
2008193737.tif 000011